(57)【要約】【課題】複数のエリア別に人を検知する手段と、単一又は複数のエリア別に温度を検出する手段と、２方向以上の風の吹出し口があり、その風向きを個別に変更可能なルーバーを備えた室内ユニットにおいて、風向きを変更する際のリモートコントローラーでの設定の煩わしさの低減、また快適性の向上を提案する。【解決手段】複数のエリア別に人を検知する手段と、単一又は複数のエリア別に温度を検出する手段と、２方向以上の風の吹出し口があり、その風向きを個別に変更可能なルーバーを備えた室内ユニットにおいて、人を検知した後に、単一又は複数のエリア別に温度を検出する手段で検出した温度が変化した場合に、人を検知したエリアの風向きを自動変更することを特徴とした室内ユニット。【選択図】  図１
2012154522.tif 000002
【特許請求の範囲】
【請求項１】
複数のエリア別に人を検知する手段と、単一又は複数のエリア別に温度を検出する手段と、２方向以上の風の吹出し口があり、その風向きを個別に変更可能なルーバーを備えた室内ユニットの制御方法において、
人を検知した後に、単一又は複数のエリア別に温度を検出する手段で検出した温度が変化した場合に、人を検知したエリアの風向きを自動変更することを特徴とした室内ユニットの制御方法。
【請求項２】
人を検知したエリアの風向きを変更した後に、単一又は複数のエリア別に温度を検出する手段で検出した温度が、閾値を越える又は同じになることで、人を検知する前の風向きへ自動変更することを特徴とした請求項１に記載の室内ユニットの制御方法。
【請求項３】
人を検知する前の風向きへ自動変更する閾値を、リモートコントローラーから変更できることを特徴とした請求項１又は２に記載の室内ユニットの制御方法。
【請求項４】
人を検知したエリアの風向きを変更した後に、一定時間又は任意時間経過後に、人を検知する前の風向きへ自動変更することを特徴とした請求項１に記載の室内ユニットの制御方法。
【請求項５】
人を検知したエリアの風向きを変更した後に、一定時間又は任意時間経過後に、人を検知する前の風向きへ自動変更する室内ユニットの制御方法において、一定時間又は任意時間をリモートコントローラーから変更できることを特徴とした請求項４に記載の室内ユニットの制御方法。
【請求項６】
人を検知する手段が焦電型赤外線センサであることを特徴とした請求項１〜５に記載の室内ユニットの制御方法。
【請求項７】
単一又は複数のエリア別に温度を検出する手段がサーモパイルセンサーであることを特徴とした請求項１〜５に記載の室内ユニットの制御方法。
【請求項８】
人を検知したエリアの風向きを変更した後に、単一又は複数のエリア別に温度を検出する手段で検出した温度が、変化する前の検出温度へ近づく、又は同じになった時に、人を検知する前の風向きへ自動変更することを特徴とした請求項１に記載の室内ユニットの制御方法。
【請求項９】
複数のエリア別に人の居る居ないを検知する人検知手段と、
前記複数のエリア別に温度を検出するエリア温度検出手段と、
前記複数のエリア別に各吹出口から風を吹き出す際の角度を調整する複数のルーバーと、
を備えた室内ユニットの制御方法において、
前記複数のうちの一のエリアにおいて、前記人検知手段により人が居ることを検知した場合において前記エリア温度検出手段により検出した温度が変化したとき、当該エリアの風向きを変更するため、前記複数のルーバーのうち当該エリアに対応するルーバーの角度を変更することを特徴とする室内ユニットの制御方法。
【発明の詳細な説明】
【技術分野】
【０００１】
本発明は空気調和機の室内ユニットの制御方法に関する。
【背景技術】
【０００２】
室内における人の位置と活動量を検知して、検知した人の位置と活動量に応じて目標設定温度を適宜補正することにより最適空調制御を達成する技術として特許文献１が知られている。
【０００３】
ここでは、室内機に複数の人体検知センサを設け、空調すべき領域を複数の人体検知センサにより複数の領域に区分している。また、複数の領域にいる人の活動量をそれぞれ検知する活動量検知手段をさらに設け、活動量検知手段により検知された人の活動量に応じて空調制御を行うようにしている。
【先行技術文献】
【特許文献】
【０００４】
【特許文献１】特開２００８−２１５７６４号公報
【発明の概要】
【発明が解決しようとする課題】
【０００５】
しかしながら、上記特許文献１においては、人を検知すると風向きを人に当てないように制御は可能であるが、その人が風を当てて欲しいか、当てて欲しくないかまでは考慮されていない。
【０００６】
複数のエリア別に人を検知する手段と、単一又は複数のエリア別に温度を検出する手段と、２方向以上の風の吹出し口があり、その風向きを個別に変更可能なルーバーを備えた室内ユニットにおいて、風向きを変更する際のリモートコントローラーでの設定の煩わしさ、また快適性については、これら煩わしさの低減，快適性の向上について改善の余地があるものと思われる。
【０００７】
そこで本発明は、煩わしい設定操作を省き、快適な空調を実現することを目的とする。
【課題を解決するための手段】
【０００８】
上記目的を達成するため本発明は、
複数のエリア別に人を検知する手段と、単一又は複数のエリア別に温度を検出する手段と、２方向以上の風の吹出し口があり、その風向きを個別に変更可能なルーバーを備えた室内ユニットにおいて、人を検知した後に、単一又は複数のエリア別に温度を検出する手段で検出した温度が変化した場合に、人を検知したエリアの風向きを自動変更することを特徴とする。
【０００９】
上記目的を達成するため本発明は、
複数のエリア別に人の居る居ないを検知する人検知手段と、
前記複数のエリア別に温度を検出するエリア温度検出手段と、
前記複数のエリア別に各吹出口から風を吹き出す際の角度を調整する複数のルーバーと、
を備えた室内ユニットの制御方法において、
前記複数のうちの一のエリアにおいて、前記人検知手段により人が居ることを検知した場合において前記エリア温度検出手段により検出した温度が変化したとき、当該エリアの風向きを変更するため、前記複数のルーバーのうち当該エリアに対応するルーバーの角度を変更することを特徴とする。
【発明の効果】
【００１０】
本発明によれば、煩わしい設定操作を省き、快適な空調を実現することができる。
【図面の簡単な説明】
【００１１】
【図１】温度を検出する手段が複数のエリアの室内ユニット図。
【図２】温度を検出する手段が単一のエリアの室内ユニット図。
【図３】複数のエリア別に人を検知する手段の制御方法の図。
【図４】単一又は複数のエリア別に温度を検出する手段から得た情報から風向調整する制御方法の図。
【図５】風向きを個別に変更可能なルーバーの制御方法の図。
【図６】風向きを個別に変更可能なルーバーの制御を表に表した図。
【図７】検知エリアに人が居ない場合の図。
【図８】人に風を当てる制御の場合の図。
【図９】人に風を当てない制御の場合の図。
【図１０】風向調整の閾値（３０ｃ）の値を低く設定した図。
【図１１】風向調整の閾値（３０ｃ）の値を高く設定した図。
【発明を実施するための形態】
【００１２】
以下、本発明を実施するための最良の形態を図面に基づいて説明する。
【００１３】
以下、図１，図２を用いて制御方法について説明する。
【００１４】
図１，図２で表されている空気調和機の室内ユニット１０は、室内ユニット１０が天井等の天面に配設されているところを直下から見上げた図である。
【００１５】
２０はエリア別に人を検知する手段、３０はエリア別に温度を検出する手段、４１〜４４は風向きを個別に変更可能なルーバーである。なお、番号を振っていないが、ルーバー４１〜４４で囲まれた部分（黒い太線で表されたグリル）から風を吸い込んで、ルーバー４１〜４４から風を吹き出し、室内ユニット１０は室内を空調する。
【００１６】
図１では、人検知エリアを複数に分けている。具体的には、人検知エリアを２１〜２４というように４つに分けている。また、温度を検出するエリアを同様に複数に分けている。具体的には、温度を検出するエリアを３１〜３４というように４つに分けている。
【００１７】
図２では、人検知エリアは図１と同様であるが、温度を検出するエリアについては単一にしている。
【００１８】
複数のエリア別に人を検知する手段（２０）と、単一又は複数のエリア別に温度を検出する手段（３０）と、２方向以上の風の吹出し口があり、その風向きを個別に変更可能なルーバー（４１，４２，４３，４４）を備えた室内ユニット（１０）において、複数のエリア別に人を検知する手段（２０）には熱の変化量（２０ｂ）を電圧に変換する焦電型赤外線センサを使用する。又、単一又は複数のエリア別に温度を検出する手段（３０）には検出した温度を電圧に変換するサーモパイルセンサーを使用する。複数のエリアを検出する場合は、複数個のセンサを使用するのも良い。
【００１９】
以下、図３〜図６を用いて制御方法について説明する。
【００２０】
図３は、複数のエリア別に人を検知する手段（２０）の制御方法を図示したものである。熱の変化量の基準ライン（２０ａ）としたときの熱の変化量（２０ｂ）が、人検知の閾値（２０ｃ）を超えている時（２０ｆ）と、一度熱の変化量（２０ｂ）が、人検知の閾値（２０ｃ）を超えた後、人検知の閾値（２０ｃ）を下回ってから一定時間（２０ｇ）は人が居る（２０ｅ）と認識する。よって人の有無の認識は、人が居ない（２０ｄ），人が居る（２０ｅ）となる。この制御により、熱の変化量（２０ｂ）が人検知の閾値（２０ｃ）付近を短い時間で行き来した場合にも、人の有無の認識がころころ切り替わることなく人が居る（２０ｅ）と認識できる。
【００２１】
図４は、単一又は複数のエリア別に温度を検出する手段（３０）の制御方法を図示したものである。制御温度目標ライン（３０ａ）としたときの単一又は複数のエリア別に温度を検出する手段（３０）が検出した温度（３０ｂ）が、風向調整の閾値（３０ｃ）を超えている時（３０ｆ）と、一度検出した温度（３０ｂ）が風向調整の閾値（３０ｃ）を超えた後、風向調整の閾値（３０ｃ）を下回ってから、一定時間（３０ｇ）は温度が高い（３０ｅ）と認識する。よって温度の高低の認識は、温度が低い（３０ｄ），温度が高い（３０ｅ）となる。この制御により、単一又は複数のエリア別に温度を検出する手段（３０）が検出した温度（３０ｂ）が風向調整の閾値（３０ｃ）付近を短い時間で行き来した場合にも、温度の高低の認識がころころ切り替わることなく温度が高い（３０ｅ）と認識できる。
【００２２】
図５，図６は、風向きを個別に変更可能なルーバー（４１，４２，４３，４４）の制御方法（１０ａ，１０ｂ，…）を図示したものである。
【００２３】
人が居ない（２０ｄ），人が居る（２０ｅ）は図３で説明した制御方法と同じ考えである。また、温度が低い（３０ｄ），温度が高い（３０ｅ）は図４で説明した制御方法と同じ考えである。
【００２４】
人が居ない（２０ｄ）・人が居る（２０ｅ），温度が低い（３０ｄ）・温度が高い（３０ｅ）の組み合わせにより、風向きを個別に変更可能なルーバー（４１，４２，４３，４４）を調整する。人が居ない（２０ｄ）且つ温度が低い（３０ｄ）と認識した場合、風向きを個別に変更可能なルーバー（４１，４２，４３，４４）は任意の設定（１００ａ）で制御する。人が居る（２０ｅ）且つ温度が低い（３０ｄ）と認識した場合、風向きを個別に変更可能なルーバー（４１，４２，４３，４４）を制御して人を検知した方向の人に風を当てない（１００ｃ）ように風向きを変更する。人が居ない（２０ｄ）且つ温度が高い（３０ｅ）と認識した場合、風向きを個別に変更可能なルーバー（４１，４２，４３，４４）は任意の設定（１００ａ）で制御する。人が居る（２０ｅ）且つ温度が高い（３０ｅ）と認識した場合、風向きを個別に変更可能なルーバー（４１，４２，４３，４４）を制御して人を検知した方向の人に風を当てる（１００ｂ）ように風向きを変更する。
【００２５】
以下、図６〜図１１を用い実施例を説明する。
【００２６】
複数のエリア別に人を検知する手段（２０）と、単一又は複数のエリア別に温度を検出する手段（３０）と、２方向以上の風の吹出し口があり、その風向きを個別に変更可能なルーバー（４２，４４）を備えた室内ユニット（１０）において、風向きを個別に変更可能なルーバー（４２）の方向の複数のエリア別に人を検知する手段（２０）と、単一又は複数のエリア別に温度を検出する手段（３０）のエリアはそれぞれ、人検知エリア（２２），温度を検出するエリア（３２）である。また、風向きを個別に変更可能なルーバー（４４）の方向の複数のエリア別に人を検知する手段（２０）と、単一又は複数のエリア別に温度を検出する手段（３０）のエリアはそれぞれ、人検知エリア（２４），温度を検出するエリア（３４）である。
【００２７】
図７は、人検知エリア（２２，２４）に人（９４，９２）が居ない（２０ｄ）状態である。そのときの風向き（５２，５４）は任意の設定（１００ａ）である。
【００２８】
図８は、人検知エリア（２４）に人（９４）が入った状態である。そのときの温度を検出するエリア（３４）の温度が低い（３０ｄ）と認識するか、温度が高い（３０ｅ）と認識するかで、風向き（５４）の制御が変わってくる。人（９４）を検知して、温度が高い（３０ｅ）と認識すると、人（９４）は風を当てて欲しいと感じているはずである。よって、図８のように風向き（５４）を、人（９４）に風を当てる（１００ｂ）ように制御する。人（９４）を検知して、温度が低い（３０ｄ）と認識すると、人（９４）は風を当てて欲しくないと感じているはずである。よって、図９のように風向き（５４）を、人（９４）に風を当てない（１００ｃ）ように制御する。
【００２９】
人検知エリア（２２）、温度を検出するエリア（３２）には、人（９２）は入っていないので、風向き（５２）は、任意の設定（１００ａ）のままである。
【００３０】
人（９４）を検知した時、風向き（５４）を、人（９４）に風を当てる（１００ｂ）ように制御するか、人（９４）に風を当てない（１００ｃ）ように制御するかは、温度を検出するエリア（３４）の温度が低い（３０ｄ）と認識するか、温度が高い（３０ｅ）と認識するかによって変える。より風を当てて欲しい人（９４）は、図１０のように風向調整の閾値（３０ｃ）の値を低く設定することで、温度が高い（３０ｅ）と認識しやすくなり、人（９４）に風を当てる（１００ｂ）ように風向きを変更する制御に入りやすくなる。風を当てて欲しくない人（９４）は、図１１のように風向調整の閾値（３０ｃ）の値を高く設定することで、温度が低い（３０ｄ）と認識しやすくなり、人（９４）に風を当てない（１００ｃ）ように風向きを変更する制御に入りやすくなる。その風向調整の閾値（３０ｃ）を、室内ユニット（１０）に接続されているリモートコントローラーから任意に設定できると使い易い。
【００３１】
又、オフィス等で室内ユニット（１０）の人検知エリア（２１，２２，２３，２４），温度を測定するエリア（３１，３２，３３，３４）に入る人が固定されている場合、それぞれの人の要求を満足させるために、個別に温度を検出するエリア（３１，３２，３３，３４）に風向調整の閾値（３０ｃ）を個別に設けても良い。さらに、個別に温度を検出するエリア（３１，３２，３３，３４）の風向調整の閾値（３０ｃ）を個別に、任意に設定できるようにするとなお良い。その風向調整の閾値（３０ｃ）を、室内ユニット（１０）に接続されているリモートコントローラーから任意に設定できると使い易い。
【符号の説明】
【００３２】
１０  室内ユニット
２０  複数のエリア別に人を検知する手段
２０ａ  熱の変化量の基準ライン
２０ｂ  熱の変化量
２０ｃ  人検知の閾値
２０ｄ  人が居ない
２０ｅ  人が居る
２０ｆ  熱の変化量（２０ｂ）が人検知の閾値（２０ｃ）を超えている時
２０ｇ  一定時間
２１，２２，２３，２４  人検知エリア
３０  単一又は複数のエリア別に温度を検出する手段
３０ａ  制御温度目標ライン
３０ｂ  検出した温度
３０ｃ  風向調整の閾値
３０ｄ  温度が低い
３０ｅ  温度が高い
３０ｆ  検出した温度（３０ｂ）が、風向調整の閾値（３０ｃ）を超えている時
３０ｇ  一定時間
３１，３２，３３，３４  温度を検出するエリア
４１，４２，４３，４４  風向きを個別に変更可能なルーバー
５２，５４  風向き
９２，９４  人
１００ａ  任意の設定
１００ｂ  人に風を当てる
１００ｃ  人に風を当てない
【図１】
2012154522.tif 000003
【図２】
2012154522.tif 000004
【図３】
2012154522.tif 000005
【図４】
2012154522.tif 000006
【図５】
2012154522.tif 000007
【図６】
2012154522.tif 000008
【図７】
2012154522.tif 000009
【図８】
2012154522.tif 000010
【図９】
2012154522.tif 000011
【図１０】
2012154522.tif 000012
【図１１】
2012154522.tif 000013